(57)【要約】      （修正有）【課題】低音域において高い再生音圧が得られると共に一般ユーザに受け入れられ易い外観デザインが可能で、生産効率向上が図れるイヤホンを提供する。【解決手段】後面５ａ２に開口部５ａ２ａを有するドライバユニットと、ドライバユニットを内部に収容したハウジング部１１と、ドライバユニットの後面が面するバックキャビティＶａと、バックキャビティに面するダクト部１２と、を有する本体部１と、を備える。一平面状に延在する板状を呈し、一平面状に延び、両端がそれぞれ一面と他面とに開口している連通路ＲＴを有するダクトプレート１２ａと、ダクトプレートの一面側及び他面側に並設され、連通路と連通する開口部を有する孔選択シート１２ｂと、を有する。バックキャビティと本体部の外部の空間Ｖｇとがダクトプレートの連通路及び孔選択シート１２ｂの開口部を通して連通している。【選択図】図４
2018046449.tif 000002
【特許請求の範囲】
【請求項１】
後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
一平面状に延在する板状を呈し、前記一平面状に延び、両端がそれぞれ一面と他面とに開口している連通路を有するダクトプレートと、
前記ダクトプレートの前記一面側及び前記他面側に並設され、前記連通路と連通する開口部を有する孔選択シートと、を有し、
前記バックキャビティと、前記本体部の外部の空間と、が、前記ダクトプレートの前記連通路及び前記孔選択シートの前記開口部を通して連通していることを特徴とするイヤホン。
【請求項２】
後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
前記ダクト部は、
厚さ方向に並設された複数の平板状のダクトプレートと、前記ダクトプレートそれぞれの間と、前記厚さ方向の一方側及び他方側と、に配置された孔選択シートと、を有し、
前記ダクトプレートは、第１の貫通孔と、第２の貫通孔と、前記第１の貫通孔と前記第２の貫通孔とを連通し一面側に開口した連通溝と、を有し、
前記孔選択シートは、前記ダクトプレートの前記連通溝の開口を閉塞可能、かつ前記第１の貫通孔及び前記第２の貫通孔のいずれか一方のみと連通可能に形成されており、
前記孔選択シートにより、前記ダクトプレートの前記第１の貫通孔及び前記第２の貫通孔の一方が前記開口部と連通すると共に、前記連通溝の開口が前記孔選択シートで閉塞されて、前記バックキャビティと、前記本体部に対する外部空間と、が、前記ダクト部の前記ダクトプレートにおける、前記連通溝，前記第１の貫通孔，及び前記第２の貫通孔のいずれかと、前記孔選択シートの前記開口部と、を通る通気経路によって連通していることを特徴とするイヤホン。
【請求項３】
後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
前記ダクト部は、
厚さ方向に並設された複数の平板状のダクトプレートと、前記ダクトプレートの前記厚さ方向の一方側及び他方側と、に配置された孔選択シートと、を有し、
前記ダクトプレートは、第１の貫通孔と、第２の貫通孔と、前記第１の貫通孔と前記第２の貫通孔とを連通し一面側に開口した連通溝と、を有し、
前記孔選択シートは、前記ダクトプレートの前記連通溝の開口を閉塞可能、かつ前記第１の貫通孔及び前記第２の貫通孔のいずれか一方のみと連通可能に形成されており、
前記孔選択シートにより、前記ダクトプレートの前記第１の貫通孔及び前記第２の貫通孔の一方が前記開口部と連通すると共に、前記連通溝の開口が前記孔選択シートで閉塞されて、前記バックキャビティと、前記本体部に対する外部空間と、が、前記ダクト部の前記ダクトプレートにおける、前記連通溝，前記第１の貫通孔，及び前記第２の貫通孔のいずれかと、前記孔選択シートの前記開口部と、を通る通気経路によって連通していることを特徴とするイヤホン。
【発明の詳細な説明】
【技術分野】
【０００１】
本発明は、イヤホンに係り、特に、低音域において高い再生音圧が得られるイヤホンに関する。
【背景技術】
【０００２】
イヤホンにおいて、筐体に、ドライバユニットの後面から放出された音を外部に放出させる音響ダクトを突出形成して、低音域の再生音圧を増加させる技術が知られている。その一例が特許文献１に記載されている。
【先行技術文献】
【特許文献】
【０００３】
【特許文献１】特許第２８６７８９８号公報
【発明の概要】
【発明が解決しようとする課題】
【０００４】
特許文献１に記載された、筐体から長く突出する音響ダクトを有するイヤホンは、音響ダクトを搭載していることが視覚的に明らかになる反面、個性的な外観デザインになる。そのため、一般ユーザにとってはデザインを受け入れにくい、という点で改善の余地があった。
【０００５】
また、ドライバユニットを、音響特性の異なるものに変更して同じ筐体に搭載しようとした場合、筐体が変更前のドライバユニットに最適化された音響ダクトを有することから、変更後のドライバユニットに合わせる音質調整が難しい。
そのため、異種のドライバユニットに対する筐体の共有化が図りにくく、生産効率向上の観点で改善の余地があった。
【０００６】
そこで、本発明が解決しようとする課題は、ダクトを備えて低音域において高い再生音圧が得られると共に、一般ユーザにとって受け入れられ易い外観デザインが可能で、生産効率向上が図れるイヤホンを提供することにある。
【課題を解決するための手段】
【０００７】
上記の課題を解決するために、本発明は次の構成を有する。
１）  後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
一平面状に延在する板状を呈し、前記一平面状に延び、両端がそれぞれ一面と他面とに開口している連通路を有するダクトプレートと、
前記ダクトプレートの前記一面側及び前記他面側に並設され、前記連通路と連通する開口部を有する孔選択シートと、を有し、
前記バックキャビティ内の空間と、前記本体部の外部の空間と、が、前記ダクトプレートの前記連通路及び前記孔選択シートの前記開口部を通して連通していることを特徴とするイヤホンである。
２）  後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
前記ダクト部は、
厚さ方向に並設された複数の平板状のダクトプレートと、前記ダクトプレートそれぞれの間と、前記厚さ方向の一方側及び他方側と、に配置された孔選択シートと、を有し、
前記ダクトプレートは、第１の貫通孔と、第２の貫通孔と、前記第１の貫通孔と前記第２の貫通孔とを連通し一面側に開口した連通溝と、を有し、
前記孔選択シートは、前記ダクトプレートの前記連通溝の開口を閉塞可能、かつ前記第１の貫通孔及び前記第２の貫通孔のいずれか一方のみと連通可能に形成されており、
前記孔選択シートにより、前記ダクトプレートの前記第１の貫通孔及び前記第２の貫通孔の一方が前記開口部と連通すると共に、前記連通溝の開口が前記孔選択シートで閉塞されて、前記バックキャビティの内部空間と、前記本体部に対する外部空間と、が、前記ダクト部の前記ダクトプレートにおける、前記連通溝，前記第１の貫通孔，及び前記第２の貫通孔のいずれかと、前記孔選択シートの前記開口部と、を通る通気経路によって連通していることを特徴とするイヤホンである。
３）  後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
前記ダクト部は、
厚さ方向に並設された複数の平板状のダクトプレートと、前記ダクトプレートの前記厚さ方向の一方側及び他方側と、に配置された孔選択シートと、を有し、
前記ダクトプレートは、第１の貫通孔と、第２の貫通孔と、前記第１の貫通孔と前記第２の貫通孔とを連通し一面側に開口した連通溝と、を有し、
前記孔選択シートは、前記ダクトプレートの前記連通溝の開口を閉塞可能、かつ前記第１の貫通孔及び前記第２の貫通孔のいずれか一方のみと連通可能に形成されており、
前記孔選択シートにより、前記ダクトプレートの前記第１の貫通孔及び前記第２の貫通孔の一方が前記開口部と連通すると共に、前記連通溝の開口が前記孔選択シートで閉塞されて、前記バックキャビティの内部空間と、前記本体部に対する外部空間と、が、前記ダクト部の前記ダクトプレートにおける、前記連通溝，前記第１の貫通孔，及び前記第２の貫通孔のいずれかと、前記孔選択シートの前記開口部と、を通る通気経路によって連通していることを特徴とするイヤホンである。
【発明の効果】
【０００８】
本発明によれば、ダクトを備えて低音域において高い再生音圧が得られると共に、低音域の一般ユーザにとって受け入れられ易い外観デザインが可能で、生産効率向上が図れる。
【図面の簡単な説明】
【０００９】
【図１】図１は、本発明の実施の形態に係るイヤホンの実施例であるイヤホン５１の斜視図である。
【図２】図２は、イヤホン５１の左側面図である。
【図３】図３は、イヤホン５１の上面図である。
【図４】図４は、図３におけるＳ４−Ｓ４位置での断面図である。
【図５】図５は、イヤホン５１が備えるダクト部１２の組立図である。
【図６】図６は、イヤホン５１が備えるダクトプレート１２ａの正面図である。
【図７】図７は、図６におけるＳ７−Ｓ７位置での断面図である。
【図８】図８は、イヤホン５１が備える中央孔選択シート１２ｅの平面図である。
【図９】図９は、イヤホン５１が備える偏倚孔選択シート１２ｆの平面図である。
【図１０】図１０は、イヤホン５１のダクト部１２における通気経路ＴＫを説明するための模式図である。
【図１１】図１１は、変形例１を説明するための模式図である。
【図１２】図１２は、変形例２を説明するための模式図である。
【図１３】図１３は、変形例３を説明するための模式図である。
【発明を実施するための形態】
【００１０】
本発明の実施の形態に係るイヤホンをイヤホン５１により説明する。
まず、イヤホン５１の構造を、図１〜図４を参照して説明する。
図１はイヤホン５１を右後方斜め上から見た斜視図である。図２はイヤホン５１の左側面図である。図３はイヤホン５１の上面図である。図４は、図３におけるＳ４−Ｓ４位置での断面図である。
【００１１】
前後左右上下の各方向は、図１〜図３に示した方向で規定する。
すなわち、説明するイヤホン５１は、左耳用であって、耳への装着状態で左方が顔側、右方が後頭部側となる。左右方向及び上下方向は、イヤホン５１を、使用者が起立して左耳に装着した状態での、それぞれ水平方向及び上下方向に概ね対応する。
【００１２】
イヤホン５１は、イヤーピース４を外耳道に挿入して使用するいわゆるカナル型である。
【００１３】
図１及び図２に示されるように、イヤホン５１は、下方に延出するブッシング１３が形成された本体部１を有する。ブッシング１３の下方先端からはコード３が外部に引き出されている。
【００１４】
本体部１は、前後方向に延びる軸線ＣＬ１を中心軸として、前後方向に扁平な円筒状に形成されているハウジング部１１と、ハウジング部１１の後部から斜め上方に延びる軸線ＣＬ２を中心軸とする扁平円筒状のダクト部１２と、ハウジング部１１及びダクト部１２に接続して下方に延びる既述のブッシング１３を、を有する。
【００１５】
ハウジング部１１は、前側の前ハウジング１１ａと、ダクト部１２の根本部分とブッシング１３を形成する後ハウジング１１ｂと、意匠上のアクセントとして視認される環状のオーナメントリング６と、を有する。
【００１６】
前ハウジング１１ａと、後ハウジング１１ｂとは、合わせ位置Ｐ１において、外周縁部に環状のオーナメントリング６を挟み、内部に電気音響変換器であるドライバユニット５（図２及び図４参照）を挟んで前後方向に組み合わされて固定されている。
この固定には、容着や接着などの周知の固定方法が適用される。
【００１７】
前ハウジング１１ａの前部には、水平斜め左前方に延びる軸線ＣＬ３を中心軸として突出する筒状の音筒部１１ａ１が形成されている。
音筒部１１ａ１には、シリコーンゴムなどの柔軟材料で形成された既述のイヤーピース４が、着脱自在に装着される。
【００１８】
ドライバユニット５は、図４に示されるように、異径段付きの扁平円盤状を呈するケース５ａと、ケース５ａ内における前方側に取り付けられた振動板５ｂ（破線で図示）と、を有する。
【００１９】
ケース５ａの前面５ａ１には放音孔(不図示)が形成されている。振動板５ｂの振動で前方に出力された音は、この放音孔を通り、音筒部１１ａ１内及びイヤーピース４の内部を通過して外部（耳への装着状態では外耳道内）に放出される。
ケース５ａの後面５ａ２には、開口部５ａ２ａが形成されている。振動板５ｂの振動で後方に出力された音は、開口部５ａ２ａを通り、ドライバユニット５のバックキャビティである後方空間Ｖａに放出される。
【００２０】
後方空間Ｖａは、ケース５ａの後面５ａ２，後ハウジング１１ｂの内面１１ｂ１，ダクト部１２のダクト体ＤＴ（詳細は後述），及びコード３に囲まれて形成されている。
換言するならば、バックキャビティとなる後方空間Ｖａは、後面５ａ２及びダクト部１２が面して形成されている。
後方空間Ｖａは、ダクト部１２のダクト体ＤＴの通気経路ＴＫ（図４及び図１０参照：詳細は後述）以外、実質的に密閉されている。
【００２１】
ケース５ａの後面５ａ２には、一対の端子５ａ３，５ａ３が設けられている。
コード３は、ブッシング１３を通り、一端部が後方空間Ｖａ内に進入している。その端部から一対のリード線３ａ，３ａが延出し、結び玉Ｍを経て各端子５ａ３に電気的に接続されている。
【００２２】
次に、ダクト部１２について説明する。
図４において、ダクト部１２は、ダクト体ＤＴと、深鍋状のダクトケース１２ｃと、ダクトケース１２ｃより大径なる深鍋状のオーナメント１２ｄと、を含んで構成されている。
【００２３】
ダクト体ＤＴは、円盤状のダクトプレート１２ａのｎ（ｎは１以上の整数）個と、円形シート状の孔選択シート１２ｂの（ｎ＋１）枚と、を有する。
【００２４】
（ｎ＋１）枚の孔選択シート１２ｂは、それぞれ、図８に示される中央孔選択シート１２ｅ及び図９に示される偏倚孔選択シート１２ｆから選択使用される。
【００２５】
以下、ダクト部１２の例として、ｎ＝３とした場合を、図４及び図５を主に参照して説明する。
図５は、ダクト部１２の組立図である。
【００２６】
ダクト体ＤＴは、３個のダクトプレート１２ａが、互いの間に孔選択シート１２ｂを挟んで軸方向に並設されて積層固定されると共に、両外側のダクトプレート１２ａの外側面に孔選択シート１２ｂが取り付けられて構成されている。
従って、ダクト体ＤＴにおいて、孔選択シート１２ｂは、３個のダクトプレート１２ａ間に配置された２枚と、３個のダクトプレート１２ａの一方側と他方側とのそれぞれに配置された２枚と、の合計４枚が用いられている。
【００２７】
４枚の孔選択シート１２ｂは、後ハウジング１ｂ側から、偏倚孔選択シート１２ｆ、中央孔選択シート１２ｅ、の順に交互に選択使用されている。
従って、後ハウジング１１ｂから最も遠い４枚目の孔選択シート１２ｂは、中央孔選択シート１２ｅとなっている。
ダクトプレート１２ａ及び孔選択シート１２ｂは、互いに両面テープ或いは接着剤により固定されている。
【００２８】
このように３個のダクトプレート１２ａ及び４枚の孔選択シート１２ｂで構成されたダクト体ＤＴは、ダクトケース１２ｃ内に挿入固定される。
ダクト体ＤＴが挿入固定されたダクトケース１２ｃの一端側は、後ハウジング１１ｂのダクト取付部１１ｂ２（図４参照）に取り付けられる。
ダクト取付部１１ｂ２に取付られたダクトケース１２ｃには、さらにオーナメント１２ｄが被着される。
【００２９】
この構造において、ダクトケース１２ｃは外部に露出せず、外観上、オーナメント１２ｄがハウジング部１１に接続している意匠として視認把握される。
【００３０】
ダクト体ＤＴ，ダクトケース１２ｃ，及びオーナメント１２ｄの各部材間の固定には、両面テープ或いは接着剤が用いられる。
【００３１】
次に、ダクト部１２の各構成部材の詳細を説明する。
まず、図６及び図７を参照してダクトプレート１２ａについて説明する。
【００３２】
図６は、ダクトプレート１２ａの正面図（図４における軸線ＣＬ２の外方側から見た図）であり、図７は、図６におけるＳ７−Ｓ７位置での断面図である。
【００３３】
ダクトプレート１２ａは、一平面状に延在する平板状に形成されている。この例では、円盤状とされる。一方の面に、軸線方向視で円形となるように窪んだ凹部１２ａ１を有する。
また、正面図である図６において、ダクトプレート１２ａの中心位置ＣＴ１に貫通孔１２ａ２が形成されている。また、中心位置ＣＴ１に対し半径Ｒａで偏倚した位置Ｐ２を中心として貫通孔１２ａ３が形成されている。
【００３４】
貫通孔１２ａ２，１２ａ３は、一方端が凹部１２ａ１内の底面である凹底面１２ａ４に開口し、他方端がダクトプレート１２ａの他方の面１２ａ５に開口している。
この例において貫通孔１２ａ２，１２ａ３は角孔とされる。
【００３５】
ダクトプレート１２ａの他方の面１２ａ５には、貫通孔１２ａ２と貫通孔１２ａ３とを深さＨａで繋ぐ曲線状の溝としての連通溝１２ａ６が形成されている。
すなわち、連通溝１２ａ６は、ダクトプレート１２ａの延在方向に延びて形成され、両端が貫通孔１２ａ２と貫通孔１２ａ３を介して、少なくとも一方の面と他方の面とに開口するよう形成されている。
この例において、連通溝１２ａ６は概ね全体が曲線状とされているが、一部又は全部が直線状であってもよい。
ダクトプレート１２ａは、樹脂又は金属で形成されている。
【００３６】
中央孔選択シート１２ｅは、図５及び図８に示されるように、円形のシート状に形成されている。中央には、中心位置ＣＴ３を中心とする開口部１２ｅ１が形成されている。
開口部１２ｅ１は、ダクトプレート１２ａの貫通孔１２ａ２の開口形状を包含する形状（この例では角孔）及び大きさ形成されている。
【００３７】
中央孔選択シート１２ｅの外径は、ダクトプレート１２ａの凹部１２ａ１の内径に対し僅かに小さく、厚さは凹部１２ａ１の深さよりも厚くなっている。
これにより、中央孔選択シート１２ｅを、凹部１２ａ１内の凹底面１２ａ４に取り付けることができ、取り付けた状態で、厚さ方向において、中央孔選択シート１２ｅがダクトプレート１２ａから突出するようになっている。
【００３８】
中央孔選択シート１２ｅを凹底面１２ａ４に取り付けることで、ダクトプレート１２ａの貫通孔１２ａ３の一方の開口を塞ぎ、貫通孔１２ａ２を、開口部１２ｅ１を通して外部から臨めるようにできる。また、連通溝１２ａ６の開口を閉塞可能である。
【００３９】
すなわち、中央孔選択シート１２ｅは、ダクトプレート１２ａの二つの貫通孔１２ａ２，１２ａ３のうちの中央の貫通孔１２ａ２を選択して外部と連通可能とし、他方の一方端を塞いで連通不能とする機能を有する。
【００４０】
偏倚孔選択シート１２ｆは、図５及び図９に示されるように、中央孔選択シート１２ｅに対し、中央の開口部１２ｅ１のかわりに、中心位置ＣＴ４から半径Ｒａの位置Ｐ５を中心とする開口部１２ｆ１を設けたものである。
【００４１】
偏倚孔選択シート１２ｆの外径と厚さは、中央孔選択シート１２ｅと同じである。
これにより、偏倚孔選択シート１２ｆを凹部１２ａ１内の凹底面１２ａ４に厚さ方向に突出させて取り付けることができる。
このように、孔選択シート１２ｂは、開口部１２ｂ１を有する。開口部１２ｂ１は、中央孔選択シート１２ｅにおける開口部１２ｅ１、及び偏倚孔選択シート１２ｆにおける開口部１２ｆ１に該当する。
【００４２】
また、この取り付けで、開口部１２ｆ１とダクトプレート１２ａの貫通孔１２ａ３との位置を合わせることにより、ダクトプレートの貫通孔１２ａ２の一方側の開口を塞ぐと共に、貫通孔１２ａ３を、開口部１２ｆ１を通して外部から臨めるようにできる。また、連通溝１２ａ６の開口を閉塞可能である。
【００４３】
すなわち、偏倚孔選択シート１２ｆは、ダクトプレート１２ａの二つの貫通孔１２ａ２，１２ａ３のうちの径方向に偏倚した位置にある貫通孔１２ａ３について外部と連通可能とし、他方を塞いで連通不能とする機能を有する。
【００４４】
中央孔選択シート１２ｅ及び偏倚孔選択シート１２ｆは、例えば、樹脂製のシートであり、樹脂例はポリエチレンである。
【００４５】
ダクトケース１２ｃは、図４及び図５に示されるように、丸鍋状に形成され、底部１２ｃ１の中央に貫通孔１２ｃ２を有する。ダクトケース１２ｃは、樹脂又は金属で形成される。樹脂例はポリカーボネートであり、金属例はアルミニウムである。
【００４６】
オーナメント１２ｄは、ダクトケース１２ｃの外側にほぼ位置ずれなく被せることができる丸鍋状に形成されている。底部１２ｄ１の中央に貫通孔１２ｄ２が形成されている。
オーナメント１２ｄは、樹脂又は金属で形成される。オーナメント１２ｄは、外観部品であって意匠のアクセントにもなる部材であるから、装飾的加工が容易なアルミニウムで形成するとよい。
【００４７】
ダクトプレート１２ａの凹部１２ａ１に孔選択シート１２ｂを取り付けることで、連通溝１２ａ６は、開口が孔選択シート１２ｂにより閉塞されて、貫通孔１２ａ２と貫通孔１２ａ３とを連結する閉じた角管状の連通路ＲＴ（図４参照）となる。
従って、ダクトプレート１２ａの軸線ＣＬ２まわりの姿勢（周方向位置）と、孔選択シート１２ｂの選択及びそれをダクトプレート１２ａに取り付ける軸線ＣＬ２まわりの姿勢と、により、外気を、ダクト体ＤＴ内を軸線ＣＬ２方向に通気させるか否か、及び、通気させる場合の経路長を段階的に複数選択設定することができる。
【００４８】
これについて具体的に説明する。
ダクトプレート１２ａの一面に、中央孔選択シート１２ｅを取り付けた場合、ダクトプレート１２ａの中央の貫通孔１２ａ２が、中央孔選択シート１２ｅを介して隣接空間と連通する。
【００４９】
一方、偏倚孔選択シート１２ｆを、開口部１２ｆ１とダクトプレート１２ａの偏倚した位置の貫通孔１２ａ３とを位置合わせして取り付けると、貫通孔１２ａ３が、偏倚孔選択シート１２ｆを介して隣接空間と連通する。
また、位置を合わせず、周方向にずらして取り付けると、貫通孔１２ａ２，１２ａ３共、偏倚孔選択シート１２ｆによって隣接空間に対し非連通とされる。
【００５０】
図４及び図５に示された例では、ダクトプレート１２ａの軸線ＣＬ３まわりの姿勢（周方向の位置）をすべて揃えて同じ位置にし、すべての偏倚孔選択シート１２ｆの開口部１２ｆ１が、ダクトプレート１２ａの偏倚位置にある貫通孔１２ａ３と連通する周方向の位置で取り付けてある。
【００５１】
図４及び図５に示されるように、以下、ダクトプレート１２ａを、後ハウジング１１ｂに近い側から１２ａａ，１２ａｂ，１２ａｃとして区別する。
後方空間Ｖａは、偏倚孔選択シート１２ｆの開口部１２ｆ１、ダクトプレート１２ａａの貫通孔１２ａ３、連通溝１２ａ６からなる連通路ＲＴ、貫通孔１２ａ２を経て、中央孔選択シート１２ｅの開口部１２ｅ１内の空間と連通している。
【００５２】
そして、その開口部１２ｅ１内の空間は、ダクトプレート１２ａｂの中央の貫通孔１２ａ２，連通路ＲＴ，及び偏倚した貫通孔１２ａ３を経て、偏倚孔選択シート１２ｆの開口部１２ｆ１内の空間と連通している。
【００５３】
さらに、その開口部１２ｆ１内の空間は、ダクトプレート１２ａｃの偏倚した貫通孔１２ａ３，連通路ＲＴ，及び中央の貫通孔１２ａ２を経て、後ハウジング１１ｂから最も遠い中央孔選択シート１２ｅの開口部１２ｅ１内の空間と連通している。
【００５４】
すなわち、ダクト体ＤＴの軸線方向での一方側の空間と他方側の空間とは、ダクト体ＤＴ内の経路を介して連通し、その経路は、３個のダクトプレート１２ａそれぞれの連通路ＲＴ（連通溝１２ａ６）のすべてを通気経路として、ダクト部１２における通気経路ＴＫの一部を形成している。
【００５５】
このダクト体ＤＴを収めたダクトケース１２ｃに対してオーナメント１２ｄを被せた状態で、ダクトケース１２ｃの貫通孔１２ｃ２とオーナメント１２ｄの貫通孔１２ｄ２とが連通するようになっている。
そして、ダクト体ＤＴの後ハウジング１１ｂから最も遠い中央孔選択シート１２ｅの開口部１２ｅ１と、ダクトケース１２ｃの貫通孔１２ｃ２とが連通するようになっている。
【００５６】
これにより、ダクト体ＤＴ，ダクトケース１２ｃ，及びオーナメント１２ｄを通る通気経路ＴＫ（図１４参照）が構成される。
すなわち、イヤホン５１は、ハウジング部１１内の後方空間Ｖａと外部空間Ｖｇとが、通気経路ＴＫを介して連通している。
このような通気経路ＴＫを有するダクト部１２は、従来の音響ダクトとして機能する。
【００５７】
イヤホン５１において、前ハウジング１１ａ，後ハウジング１１ｂ，ダクトプレート１２ａ，及びダクトケース１２ｃは、樹脂で形成される。樹脂は例えば、ＰＣ（ポリカーボネート）である。
ブッシング１３は、例えば二色成形によってエラストマで形成することが望ましい。
オーナメントリング６及びオーナメント１２ｄは、金属（例えばアルミニウム）で形成される。
【００５８】
次に、通気経路ＴＫについて説明する。
図１０は、上述のダクト部１２の通気経路ＴＫを模式的に示した図である。
図１０において、縦方向を軸線ＣＬ２に沿う方向とし、積層されたダクトプレート１２ａａ〜１２ａｃ，中央孔選択シート１２ｅ，偏倚孔選択シート１２ｆ，ダクトケース１２ｃ，及びオーナメント１２ｄを積層順に配置してある。
また、横方向を、軸線ＣＬ２と直交する面上の経路に沿った距離（経路距離）とし、通気経路ＴＫを２次元的に視認把握できるようになっている。
【００５９】
図１０において通気経路ＴＫは、太実線で示されている。また、中央に示された軸線ＣＬ２上には、ダクトプレート１２ａの貫通孔１２ａ２が位置し、軸線ＣＬ２から離れた位置に、連通溝１２ａ６の、貫通孔１２ａ２と貫通孔１２ａ３との間の断面中心位置での経路長Ｌａ（図６参照）が位置している。
【００６０】
ここで、中央孔選択シート１２ｅの厚さをｔ１２ｅ、偏倚孔選択シート１２ｆの厚さをｔ１２ｆ、ダクトプレート１２ａの厚さをｔ１２ａ、ダクトケース１２ｃの底部１２ｃ１の厚さ（貫通孔１２ｃ２の長さ）をｔ１２ｃ、オーナメント１２ｄの底部１２ｄ１の厚さ（貫通孔１２ｄ２の長さ）をｔ１２ｄとする。
また、ダクトプレート１２ａにおける二つの貫通孔１２ａ２，１２ａ３の、一方の貫通孔の一面側の開口位置と、他方の貫通孔の他面側の開口位置と、の間における連通溝１２ａ６に沿う経路距離をＬａ１とする。
経路距離Ｌａ１は、（Ｌａ２＋ｔ１２ａ２）１／２  で示される。
【００６１】
図１０に示されるように、ダクト部１２における通気経路ＴＫの経路長ＬＴＫは、孔選択シート１２ｂの合計の厚さに対応する距離ｔ１２ｂと、ダクトプレート１２ａにおける経路長との合算となる。
すなわち、距離ｔ１２ｂは、ｔ１２ｂ＝ｔ１２ｅ×２＋ｔ１２ｆ×２であり、
ダクトプレート１２ａにおける経路長は、Ｌａ１×３  であるから、経路長ＬＴＫは、
ＬＴＫ＝（ｔ１２ｅ×２＋ｔ１２ｆ×２）＋Ｌａ１×３
となる。
【００６２】
上述のダクト部１２における通気経路ＴＫは、ドライバユニット５の後方空間Ｖａ内と外部空間Ｖｇとを連通しており、いわゆる音響ダクトとして機能する。
従って、ダクト部１２を有するイヤホン５１は、低音域において高い再生音圧が得られる。
【００６３】
以上詳述した実施例は、上述の構成に限定されるものではなく、本発明の要旨を逸脱しない範囲において変形した変形例としてもよい。
【００６４】
複数のダクトプレート１２ａは、周方向の位置（軸線ＣＬ２まわりの姿勢）が一致するように、互いに凹凸係合となる係合部を設けてもよい。
この係合部を設けることで、製造時にダクトプレート１２ａを孔選択シート１２ｂを挟んで重ね合わせる際に、単に凹凸係合させるだけで周方向の位置合わせができ、組み合わせ作業が容易となる。
【００６５】
ダクトプレート１２ａの２つの貫通孔１２ａ２，１２ａ３は、一方が中央にある例を説明したが、二つとも中央から偏倚した位置にあってよい。すなわち、２つの貫通孔１２ａ２，１２ａ３の位置は任意に定めてよい。
孔選択シート１２ｂは、貫通孔１２ａ２，１２ａ３それぞれに対応した位置に開口部１２ｂ１を有する２種から選択可能とされていればよい。
【００６６】
ダクト体ＤＴは、孔選択シート１２ｂの組み合わせを変えることで、通気経路ＴＫの経路長ＬＴＫを段階的に異なる長さにできる。
実施例では、３個のダクトプレート１２ａの全てにおいて、連通路ＲＴが通気経路ＴＫに含まれるように、孔選択シート１２ｂを２種の中から選択設定していた。
【００６７】
これに対し、変形例１として、図１１に示されるように、通気経路ＴＫを通気経路ＴＫ１としてもよい。
通気経路ＴＫ１は、最も後方空間Ｖａ側に位置する孔選択シート１２ｂに、中央孔選択シート１２ｅを選択使用することで得られる。
これにより、通気経路ＴＫ１として、ダクトプレート１２ａａについて連通路ＲＴではなく貫通孔１２ａ２が適用される。
従って、中央孔選択シート１２ｅの厚さと偏倚孔選択シート１２ｆの厚さとを同じとすると、通気経路ＴＫ１の経路長ＬＴＫ１は、通気経路ＴＫの経路長ＬＴＫよりも短く、
ＬＴＫ１＝（ｔ１２ｅ×３＋ｔ１２ｆ×１）＋Ｌａ１×２＋ｔ１２ａ
となる。
【００６８】
また、変形例２として、図１２に示されるように、通気経路ＴＫを通気経路ＴＫ２としてもよい。
通気経路ＴＫ２は、後方空間Ｖａ側から３枚目の孔選択シート１２ｂに、中央孔選択シート１２ｅを選択使用することで得られる。
これにより、ダクトプレート１２ａｂ及びダクトプレート１２ａｃについては、通気経路ＴＫ２として、連通路ＲＴではなく貫通孔１２ａ２が適用される。
従って、変形例１と同様に中央孔選択シート１２ｅの厚さと偏倚孔選択シート１２ｆの厚さとを同じとすると、通気経路ＴＫ２の経路長ＬＴＫ２は、通気経路ＴＫ１の経路長ＬＴＫ１よりも短く、
ＬＴＫ２＝（ｔ１２ｅ×３＋ｔ１２ｆ×１）＋Ｌａ１×１＋ｔ１２ａ×２
となる。
【００６９】
また、変形例３として、図１３に示されるように、通気経路ＴＫを通気経路ＴＫ３としてもよい。
通気経路ＴＫ３は、すべての孔選択シート１２ｂに、中央孔選択シート１２ｅを選択使用することで得られる。
これにより、すべてのダクトプレート１２ａａ，１２ａｂ，１２ａｃについて、通気経路ＴＫ３として、連通路ＲＴではなく貫通孔１２ａ２が適用される。
従って、変形例１，２と同様に中央孔選択シート１２ｅの厚さと偏倚孔選択シート１２ｆの厚さとを同じとすると、通気経路ＴＫ３の経路長ＬＴＫ３は、通気経路ＴＫ２の経路長ＬＴＫ２よりもさらに短く、
ＬＴＫ２＝（ｔ１２ｅ×４）＋ｔ１２ａ×３
となる。
【００７０】
このように、通気経路ＴＫ、通気経路ＴＫ１、通気経路ＴＫ２、及び通気経路ＴＫ３という４段階で異なる経路長の通気経路が得られる。
【００７１】
イヤホン５１では、積層するダクトプレート１２ａの数は３個に限定されず、１個又は３個以上であってもよい。また、２個以上のダクトプレート１２ａを積層する場合、すべて同じものに限らず、一部又は全部が異なるものにしてもよい。
具体的には、厚さｔ１２ａがそれぞれ異なるもの、異なる経路長Ｌａの連通溝１２ａ６を有するもの、を組み合わせて用いてもよい。
【００７２】
製造時に、このようなダクトプレート１２ａの積層数、同種又は異種の組み合わせ、複数の孔選択シート１２ｂを中央孔選択シート１２ｅ及び偏倚孔選択シート１２ｆの内のどれを選択使用するか、によって、様々な経路長ＬＴＫのダクト部１２を有するイヤホン５１が得られる。
これにより、イヤホン５１の設計及び製造段階で、イヤホン５１に搭載するドライバユニット５の特性に応じ、通気経路の経路長やダクトプレートの厚さなどを選択設定して、再生周波数特性や増強すべき低音域の再生音圧を最適化することができる。
【００７３】
また、並設積層する複数のダクトプレート１２ａを同じものとして、孔選択シート１２ｂの種類選択によって得られた経路長ＬＴＫの異なるダクト部１２を有するイヤホン５１は、すべて同じ外観を有するものとなる。
【００７４】
イヤホン５１は、左右反転形状にした右耳用であってもよい。また、左耳用と右耳用とを備えたステレオイヤホンであってもよい。
【００７５】
以上、詳述したように、イヤホン５１は、音響ダクトとして機能する通気経路ＴＫを有するので、低音域において高い再生音圧が得られる。
【００７６】
また、イヤホン５１は、筐体から長く例えば煙突状に突出する音響ダクトではなく、本体部１から斜め上方に扁平の円柱状のダクト部１２が突出するのみなので、平易な外観を呈し、一般ユーザにとって受け入れ易い外観デザインが可能である。
【００７７】
また、孔選択シート１２ｂの選択設定により、異なる経路長ＬＴＫの通気経路ＴＫが得られるので、収容するドライバユニットを変更しても、変更後のドライバユニットの特性に合わせた音質調整が可能である。また、音質調整作業は、孔選択シート１２ｂの選択を変えるのみで音質確認ができるので、調整も容易である。
【符号の説明】
【００７８】
１  本体部
３  コード
４  イヤーピース
５  ドライバユニット（電気音響変換器）
５ａ  ケース、    ５ａ１  前面、    ５ａ２  後面、    ５ａ２ａ  開口部
５ａ３  端子、    ５ｂ  振動板
６  オーナメントリング
１１  ハウジング部
１１ａ  前ハウジング、    １１ａ１  音筒部、    １１ｂ  後ハウジング
１１ｂ１  内面、    １１ｂ２  ダクト取付部
１２  ダクト部
１２ａ，１２ａａ，１２ａｂ，１２ａｃ  ダクトプレート
１２ａ１  凹部、    １２ａ２，１２ａ３  貫通孔、    １２ａ４  凹底面
１２ａ５  他方の面、    １２ａ６  連通溝
１２ｂ  孔選択シート、    １２ｂ１  開口部、    １２ｃ  ダクトケース
１２ｃ１  底部、    １２ｃ２  貫通孔
１２ｄ  オーナメント、    １２ｄ１  底部、    １２ｄ２  貫通孔
１２ｅ  中央孔選択シート（孔選択シート）、    １２ｅ１  開口部
１２ｆ  偏倚孔選択シート（孔選択シート）、    １２ｆ１  開口部
１３  ブッシング
５１  イヤホン
ＣＬ１，ＣＬ２，ＣＬ３  軸線、    ＣＴ１，ＣＴ３，ＣＴ４  中心位置
ＤＴ  ダクト体
Ｈａ  深さ
Ｍ  結び玉
Ｌａ１  経路距離、    ＬＴＫ，ＬＴＫ１，ＬＴＫ２，ＬＴＫ３  経路長
Ｐ１  合わせ位置、    Ｐ２，Ｐ５  位置
Ｒａ  半径、    ＲＴ  連通路
ＴＫ，ＴＫ１，ＴＫ２，ＴＫ３  通気経路
ｔ１２ａ，ｔ１２ｃ，ｔ１２ｄ，ｔ１２ｅ，ｔ１２ｆ  厚さ
Ｖａ  後方空間(バックキャビティ)、    Ｖｇ  外部空間
【図１】
2018046449.tif 000003
【図２】
2018046449.tif 000004
【図３】
2018046449.tif 000005
【図４】
2018046449.tif 000006
【図５】
2018046449.tif 000007
【図６】
2018046449.tif 000008
【図７】
2018046449.tif 000009
【図８】
2018046449.tif 000010
【図９】
2018046449.tif 000011
【図１０】
2018046449.tif 000012
【図１１】
2018046449.tif 000013
【図１２】
2018046449.tif 000014
【図１３】
2018046449.tif 000015